(57)【要約】      （修正有）【課題】組立容易にして移動性（持ち運び性）可能な組立式菜園の提供。【解決手段】不透水性を有するシート材５で底面及び四側面が形成される培地収納室２と透明または半透明のシート材で天面及び四側面が形成される植物育成室１とが四隅に配される支柱Ｂに支持されて組立が可能な菜園室であって、前記培地収納室を支持する支柱Ａと植物育成室を支持する支柱Ｂとが接合部材Ｘに接合されて組み立てられることを特徴とする組立式菜園室である。【選択図】図１
2004201505.tif 000002
【特許請求の範囲】
【請求項１】
不透水性を有するシート材で底面及び四側面が形成される培地収納室と透明または半透明のシート材で天面及び四側面が形成される植物育成室とが四隅に配される支柱に支持されて組立が可能な菜園室であって、
前記培地収納室を支持する支柱Ａと植物育成室を支持する支柱Ｂとが接合部材Ｘに接合されて組み立てられることを特徴とする組立式菜園室。
【請求項２】
前記天面のシート材がその周囲を別の支柱Ｃに支持及び／または固定されて拡がるとともに、支柱Ｃと支柱Ｂとが接合部材Ｙに接合されて組み立てられる請求項１記載の組立式菜園室。
【請求項３】
前記植物育成室を形成する各シート材と支柱Ｂ及び／またはＣを固定する手段が弾性体である請求項１または２記載の組立式菜園室。
【請求項４】
前記植物育成室の少なくとも一側面のシート材の、下部の一部ないし全部が自由端とされて作業用開口部が設けられる請求項１ないし３のいずれかに記載の組立式菜園室。
【請求項５】
前記天面が片側に傾斜しており、前記作業用開口部が最も広い側面に設けられる請求項４記載の組立式菜園室。
【請求項６】
前記培地収納室の底面及び四側面を形成するシート材が溶着されて一体化されている請求項１ないし５のいずれかに記載の組立式菜園室。
【請求項７】
前記培地収納室の四側面の上部に別の支柱Ｄを配設し、支柱Ｄと支柱Ａとが接合部材Ｘに接合されて組み立てられる請求項１ないし６のいずれかに記載の組立式菜園室。
【請求項８】
前記培地収納室の少なくとも一側面の下部及び／または底面に排水用ホースを設けた請求項１ないし７のいずれかに記載の組立式菜園室。
【請求項９】
前記培地収納室の少なくとも一側面に観測用窓を設けた請求項１ないし８のいずれかに記載の組立式菜園室。
【発明の詳細な説明】
【０００１】
【発明の属する技術分野】
本発明は、校庭の片隅、ベランダや玄関先等に容易に設置することが可能な組立式の菜園室に関し、特に組立、分解や移動が容易であると共に、植物観察に適した組立式菜園室に関する。
【０００２】
【従来の技術】
従来、マンションや公団住宅等のベランダで或いは個人住宅の玄関先等で、培地を入れたプランターや植木鉢などの容器を置き、野菜や花卉を栽培することは良く行われているところである。
また、プランターや植木鉢を簡易な形にした可撓性シートの栽培培地収納室も提案されている。例えば特許文献１では２枚の可撓性シートを支持体に支持させてダクトを設け、ダクトに温調気体を供給した栽培ベッドが開示されている。
しかし、この栽培ベッドは多数を連設しやすいように構成されているため、個々には温室を備えていない。この栽培ベッドは農業用ビニールハウス等の大きな温室内に多数設置する目的には好ましいものの、手軽にマンションや個人住宅で使用する目的には不充分であった。
すなわち、特許文献１の発明は、組立や分解などの取扱性については考慮されておらず、温室等の植物が育つ空間についても配慮されていないという問題があった。
【特許文献１】
特開２０００−１７５５６７号公報
【０００３】
【発明が解決しようとする課題】
そこで、本発明者は、培地を入れる容器と温室とが一体となった軽量で組立や分解が容易な組立式菜園について種々検討した結果、本発明を完成したもので、本発明の目的は軽くて組立容易なプランターと温室が一体化した組立式菜園を提供することである。
【０００４】
【課題を解決するための手段】
本発明の請求項１発明の要旨は、不透水性を有するシート材で底面及び四側面が形成される培地収納室と透明または半透明のシート材で天面及び四側面が形成される植物育成室とが四隅に配される支柱に支持されて組立が可能な菜園室であって、前記培地収納室を支持する支柱Ａと植物育成室を支持する支柱Ｂとが接合部材Ｘに接合されて組み立てられることを特徴とする組立式菜園室である。
即ち、本発明は培地収納室を支持するための支柱と植物育成室を支持する支柱とを共通の支柱とするに際して、それぞれの支柱を別個とし、これらを接合部材Ｘで接合することにより、それぞれの室を容易に、かつ、強固に組み立てることができる構成としたのである。また、そのように構成してあるので、分解も容易であり、完全に分解することもできるし、必要に応じて、培地収納室と植物育成室のみを切り離して移動させることが出来るので取扱が容易である。
【０００５】
そして、本発明にかかる組立式菜園室の植物育成室天面のシート材は、その周囲を別の支柱Ｃに支持及び／または固定されて拡がるとともに、支柱Ｃと支柱Ｂとが接合部材Ｙによって接合、組み立てられると植物を育成する空間がしっかりと確保され、植物育成室の形状も強固に保持されるので好ましく、また、前記植物育成室を形成する各シート材と支柱Ｂ及び／またはＣを固定する手段を弾性体とすることによってシートの固定や取り外しを任意に行うことが可能となり、容易に組立や分解を行うことが出来るので好ましい。さらに、前記植物育成室の少なくとも一側面のシート材の、下部の一部ないし全部を自由端として作業用開口部を設けると、植物の世話や室内の換気を容易に行うことができ好ましい。その場合、前記作業用開口部は、天面が片側に傾斜している場合は最も広い側面に設けることがより好ましい。
そして、培地収納室の四側面の上部に別の支柱Ｄを配設し、支柱Ｄと支柱Ａとを接合部材Ｘに接合して組み立てると、本発明の組立式菜園室全体が強固なものとなると共に、この支柱Ｄに培地収納室の四側面のシート材を固定できるので、培地収納室が支柱Ｄを介して支柱Ａに支持される。その結果、培地収納室の形状が保持され、容積が確保される。また、培地収納室の底面及び四側面を形成するシート材が溶着されて一体化されていると水分が漏出することがないと共に、組み立てる際に容易となる。
さらに、前記培地収納室の少なくとも一側面の下部及び／または底面に排水用ホースを設けることで、根腐れを防止できる。
そして、前記培地収納室の少なくとも一側面に観測用窓を設けて根の部分の成長状態を観察できるようにすることが好ましい。
【０００６】
【発明の実施の形態】
本発明について詳細に述べる。
本発明の組立式菜園室は培地収納室と植物育成室とを一体化したもので、培地収納室は不透水性を有するシート材で構成されており、不透水性を有するシート材で底面及び四側面を形成する。そして、培地収納室は四隅に配されている支柱で支持されて、形状が保持される。
支柱は特に制限はないが、軽量で強度を確保しやすい中空体が好ましく、その断面が円形であると接合しやすい。このような点を考慮すると、プラスチックパイプや金属パイブが好ましい。そのようなパイプとしては、鉄製のパイプであれば、肉厚０．５ｍｍ以上あればよく、通常１ｍｍ程度で、外径は１５〜２３ｍｍφ程度の物が好ましい。
また、不透水性を有するシート材としては布製シートや織布や編布の片面または両面を熱接着性合成樹脂層で被覆した合成樹脂製シートが好適に採用できる。そのような合成樹脂製シートとしては、例えば、ポリエチレンやポリプロピレンなどの合成樹脂扁平糸織布の両面にポリエチレンまたはポリプロピレンをラミネートした、いわゆるクロスシート、或いはポリエステルやナイロンのフィラメント織布に塩化ビニルまたはエチレン酢酸ビニル共重合体樹脂を両面に被覆した、いわゆる合成樹脂製ターポリン等をあげることが出来る。これらの中でも、軽くて強度に優れるクロスシートが特に好ましい。
そして、底面及び四側面を形成するシート材は縫製して一体化しても良いが、溶着して一体化すると漏水がなく、製造も容易なので好ましい。そのような観点から、シート材としては合成樹脂製ターポリンやクロスシートが好ましい。
【０００７】
培地収納室の広さとしては使用目的や設置場所或いは植え付ける植物の種類に応じて適宜選択すれば良く、高さ（深さ）については、通常の植物が育つ条件に合わせて、例えば、葉物・稲の場合は１５０ｍｍ程度の深さとし、根菜類については２５０ｍｍとし、根菜類の根が深く成長する物は更に深いタイプとする。
前述したように、本発明においては、培地収納室の少なくとも一側面の下部及び／または底面に排水用ホースを設けることが好ましい。排水用ホースの取り付け位置としては底面より１ｃｍ程度の高さとし、これにピンチコックなどの栓を設け必要に応じて開閉することが出来るようにすることがより好ましい。そして、ここより余剰の水分を排出して根腐れを防止する。
また、培地収納室の少なくとも一側面に観察用窓を設けることが好ましく、観測用窓に透明なフィルムを貼ると培地や水分が流出することがなくより好ましい。この観測用窓によって根菜類の根の成長を観察することが可能である。さらに、観測用窓に遮光性のシートで覆いを開閉可能に設けておいて根に直射日光や紫外線が当たらないようにしておくと良い。
【０００８】
本発明において、植物育成室の周囲は透明または半透明のシート材で構成される。そして、植物育成室は四隅に配される支柱Ｂに支持されて形状が保持される。植物育成室の天面のシート材は、支柱Ｂに加えて、さらに支柱Ｂとは異なる支柱Ｃによって周囲（四辺）が支持及び／または固定される。天面のシート材が側面のシート材と連続している箇所は支柱Ｃで支持されるだけでも良いが、風等でシート材があおられることがあるので固定されることが好ましい。そして、支柱Ｃと支柱Ｂとが接合部材Ｙによって接合されて組み立てられる。接合部材Ｙは三方向にパイプを接合することが出来る継ぎ手を使用する。支柱Ｂ及び支柱Ｃは前述した支柱Ａの場合と同様な理由でパイプ状のものが好ましく、支柱Ａ、Ｂ、Ｃの断面形状や材質は同じでも良いし、異なっていても良い。
植物育成室の四側面は透明もしくは半透明のシート材で囲われており、これらのシート材は支柱Ｂに固定される。これらのシート材は１側面に１枚でも良いし、２または３側面分が連続しても良い。シート材の固定手段としては特に限定はないが、例えば、プラスチックや金属製ミニパッカー（パイプとセットになってフィルムを挟圧する側面視Ｃ字型の留め具）のような弾性体を使用すると、組立や分解が容易となるので好ましい。
天面のシート材は周囲の側面シート材とは別体のシート材を使用しても良いし、側面のシート材と天面のシート材が連続していても良い。天面のシート材は支柱Ｃに支持や固定されて屋根となる。
植物育成室に使用する透明もしくは半透明のシート材としては、軽くて保温に優れることと光合成のために紫外線の透過がしやすい合成樹脂フィルムが望ましく、通常は７５〜２００μｍの、塩化ビニルフィルムやポリオレフィン系フィルム等が使用される。中でも、塩化ビニルのフィルムは廃棄処理の問題や可塑剤による環境ホルモンの問題があるのでポリオレフィン系フィルムが好ましい。
【０００９】
植物育成室の形状としては天面のシート材が片側に傾斜しているもの或いは両側に傾斜しているもの、又は平らなもの等何れでもよく、片側に傾斜している場合、最も広い側面を作業用開口部とすることによって作業がしやすいと共に、植物育成室内の空気を入れ換えるのに好適である。
【００１０】
本発明においては培地収納室を支持する支柱Ａと植物育成室を支持する支柱Ｂとを接合部材Ｘで接合して、一体に組み立てて菜園室とする。接合部材Ｘは横方向と奥行き方向にそれぞれ１つ、上下方向に２つの継ぎ手を有する４本の継ぎ手を有する接合部材である。横方向と奥行き方向の継ぎ手は支柱Ｄを、下方向の継ぎ手には支柱Ａを、上方向の継ぎ手には支柱Ｂを挿入し、培地収納室と植物育成室とを一体に接合して組立式菜園室を形成する。
【００１１】
【実施例】
次に図面をもって本発明を更に具体的に説明する。
図１は天面のシート材を片側に傾斜させた本発明の組立式菜園の側面図（植物育成室の透明または不透明のシートは図示せず）、図２は同正面図、図３は同背面図であり、図４は培地収納室の斜視図、図５は本発明で使用する接合部材の斜視図、図６はシートを支柱に固定するミニパッカーの斜視図、図７は天面のシート材を両側に傾斜させた本発明の組立式菜園の斜視図（植物育成室の透明または不透明のシートは図示せず）である。これらの図を用いて本発明の組立式菜園室の組立方法を述べる。
先ず不透水性シート材を熱融着して図４に示す培地収納室２を形成しておく。形成に際しては、培地収納室２の上辺には不透水性シート部材を円筒状に丸めた支柱貫通部４を設けておく。培地収納室には培地８を収納し、又、その側面に観察用窓６を設けても良い。
支柱貫通部４に支柱Ｄ１，Ｄ２，Ｄ３及びＤ４を挿入し、貫通させる。培地収納室２を囲むように四隅に支柱Ａ１，Ａ２，Ａ３及びＡ４を立て、その上端に図５に示す接合部材Ｘ１，Ｘ２，Ｘ３及びＸ４を挿入する。それぞれの支柱Ａの下端にはキャップ３，３，３，及び３を嵌める。接合部材Ｘ１，Ｘ２，Ｘ３及びＸ４の横方向及び奥行き方向にそれぞれ支柱Ｄ１，Ｄ２，Ｄ３及びＤ４の両端を挿入して培地収納室２を固定する。次いで、前記接合部材Ｘ１，Ｘ２，Ｘ３及びＸ４の縦方向（高さ方向）に支柱Ｂ１，Ｂ２，Ｂ３及びＢ４のそれぞれの一端を挿入する。それぞれの支柱の他端（上端）に天面の傾斜を形成するような角度を有する接合部材Ｙ１，Ｙ２，Ｙ３及びＹ４を使用して天面を形成する。即ち、接合部材Ｙ１，Ｙ２，Ｙ３及びＹ４の横方向及び奥行き方向の空いている継ぎ手に支柱Ｃ１，Ｃ２，Ｃ３及びＣ４を挿入して天面の傾斜を形成し、しかる後、天面及び四側面を透明又は半透明のシート材で覆い、該シート材を図６に示したようなミニパッカー（留め具）７で支柱に固定する。支柱Ｂ１，Ｂ２，Ｂ３，Ｂ４で固定された四側面のシート材及び支柱Ｃ１，Ｃ２，Ｃ３、Ｃ４で固定や支持された天面のシート材で囲われた空間が植物育成室１である。
このようにして組み立てられた組立式菜園室の側面図を図１に、正面図を図２に背面図を図３に示す。
本発明は培地収納室２を支える支柱Ａ１，Ａ２，Ａ３及びＡ４と植物育成室１を支える支柱Ｂ１，Ｂ２，Ｂ３とＢ４を接合部材Ｘ１，Ｘ２，Ｘ３及びＸ４で分離可能に一体に接合してあるので、必要に応じて、培地収納室２と植物育成室１とを分離することができる。また、全ての部材を完全に分解することも容易なので移動が容易である。なお、最も広い側面部のシートをミニパッカー７で固定することなく、自由端としておけば、作業用の開口部とすることが出来る。
次に同様な方法で組み立てられる、天面のシート材が両側に傾斜した他の組立式菜園室の斜視図を図７に示す。
この組立式菜園は、天面の頂部に一対の接合部材（接合部材Ｙと同型）と天面のシートを支持する支柱（支柱Ｃと同型）を有している。
そして、各接続部材Ｘの下にさらに、各接続部材Ｘと同型の接続部材を設け、支柱Ｄと同型の支柱をはめ込み、各支柱間に金属の細い丸棒をさし渡して棚板が形成されている。このような棚板を設けると、培地収納室の不透水性シート材に培地や植物の重量がかかったときに、この棚板で支えることができる。
【００１２】
以上、本発明について図を以て説明したが、本発明はこの態様に限定されることなく、本発明の趣旨を変更しない範囲で種々の変更が可能である。例えば、培地収納室内に穿孔した合成樹脂シートをミニパッカーで固定して根腐れ防止シートを配設したり、培地収納室に培地や植物の苗等をセットした後、農業用マルチシートで培地を覆って、ミニパッカーで固定することもできる。さらには、植物育成室を形成するシート材に紫外線を遮断しない程度の着色や文字の印刷を施すこともできる。特に、本発明では透明または半透明のシート材を複数用いるので、どのシートが、どの面に、どちら向きに使用されるか判別できるような印刷をしておくと組立が容易となる。
【００１３】
【発明の効果】
以上述べたように、本発明は植物育成室の支柱と、培地収納室の支柱とを分け、これを接合部材で繋ぐことによって植物育成室と培地収納室とを一体化して支持することが出来、これによって組立や分解が容易となる。
また、培地収納室に観察窓を設け地中を観察することによって根菜類の根の成長の様子を容易に知ることが出きる。
【図面の簡単な説明】
【図１】本発明にかかる組立式菜園の一例の側面図（植物育成室の透明または不透明のシートは図示せず）
【図２】図１の正面図
【図３】図１の背面図
【図４】培地収納室の一例の斜視図
【図５】接合部材Ｘの一例
【図６】シート材を支柱に固定する部材の一例の斜視図
【図７】本発明にかかる組立式菜園の他の一例の斜視図（植物育成室の透明または不透明のシートは図示せず）
【符号の説明】
Ａ１，Ａ２，Ａ３，Ａ４  培地収納室の四隅の支柱
Ｂ１，Ｂ２，Ｂ３，Ｂ４  植物育成室の四隅の支柱
Ｃ１，Ｃ２，Ｃ３，Ｃ４  天面のシートの支柱
Ｄ１，Ｄ２，Ｄ３，Ｄ４  培地収納室を支持する支柱
Ｘ１，Ｘ２，Ｘ３，Ｘ４  支柱Ａと支柱Ｂとの接合部材
Ｙ１，Ｙ２，Ｙ３，Ｙ４  支柱Ｂと支柱Ｃとの接合部材
１  植物育成室      ２  培地収納室      ３  キャップ
４  支柱貫通部      ５  不透水性シート      ６  観察用窓
７  ミニパッカー      ８  培地
【図１】
2004201505.tif 000003
【図２】
2004201505.tif 000004
【図３】
2004201505.tif 000005
【図４】
2004201505.tif 000006
【図５】
2004201505.tif 000007
【図６】
2004201505.tif 000008
【図７】
2004201505.tif 000009